(57)【要約】      （修正有）【課題】鋼材に橋枕木を固定させるためのボルトのための座金であって、橋枕木の固定のためのフックボルトの取り付け時において、フックボルトの落下を防止するものである。【解決手段】フックボルトは橋枕木を橋桁に固定する部材であって、棒鋼からなり上部を雄ねじとした直線状のボルト部と、その下部に連続する曲線状のフック部を備える。このフックボルトは、橋枕木に備えたボルト穴ににボルト部を挿通し、ナットで固定して、フック部を橋桁の下面に圧接させることにより橋枕木を橋桁に固定する。フックボルト固定のための座金は、フックボルトの貫通のための穴の周囲に弾力性のパッキング２１、外周部に弾力性パッキング２２、底面に弾力性パッキング２３を形成する。【選択図】図２
2009019347.tif 000002
【特許請求の範囲】
【請求項１】
ボルトのための座金であって、ボルトを貫通するための穴の周囲に弾力性パッキングが形成されていることを特徴とする座金。
【請求項２】
前記座金の底面に弾力性パッキングが形成されていることを特徴とする請求項１に記載の座金。
【請求項３】
前記座金の外周部に弾力性パッキングが形成されていることを特徴とする請求項１又は２に記載の座金。
【請求項４】
前記穴の形状は非円形形状であることを特徴とする請求項１ないし３のいずれかに記載の橋枕木固定用ボルト用ボルト及び座金。
【請求項５】
鋼材に橋枕木を固定させるためのボルトの固定に使用する座金の穴の周囲、外周及び／又は底面にはめ込むための弾力性パッキング。
【請求項６】
前記パッキングには切り込みがけ形成されていることを特徴とする請求項５に記載の座金。
【発明の詳細な説明】
【技術分野】
【０００１】
本発明は、ボルトの座金に関するもので、特に、橋枕木固定用フックボルトなどの作業性の困難な場合に使用されるボルトのナット締め付けの際にフックボルトの落下を防止するための座金に関する。
【背景技術】
【０００２】
鉄道の橋梁における鋼材に橋枕木を固定するためのフックボルトは、列車が通行するための振動や、気温変化によるレールと橋桁の収縮差により、フックボルトの座金により橋枕木が磨耗し、磨耗部に水が浸透し、亀裂が入るなど橋枕木の劣化の原因となっていた。また、従来の円形形状のフックボルトの場合、ナット締め付けの際ボルトが落下するのを防止するために、ボルトを保持しながら作業をおこなわなければならず、作業性が悪いという問題があった。
【０００３】
さらに、フックボルトは橋上で危険性の高い作業環境で使用されるため、この補修作業を行うには、足場や落下防止網を設置して大掛かりな工事が必要になり、経費が膨大になるという問題を有している。
【０００４】
フックボルトの回転を防止するためにいくつかの提案がなされてきている。例えば、特許文献１では、フックボルトの下部構造箇所の曲がり部分に、左右両端に翼を延ばし、翼がぶつかることにより回転防止することが提案されているが、翼の部分にフックボルトを層通する穴を設ける必要があり、工程が煩雑であり、コスト高になるという問題がある。特許文献１では、さらに、座金の四隅にツメを設け、ツメが枕木に食い込むことによって座金の回り止めを図ることが提案されているが、枕木の材質によってはツメが食い込むことにより、枕木の風化、劣化の原因となる。
【０００５】
そこで、本発明の発明者は、下記特許文献２において、フックボルトのネジ部の形状を非円形形状とし、座金の穴の形状を前記非円形形状と同じ形状とすることにより、極めて簡易にフックボルトの回転を防止することを提案した。
【０００６】
しかしながら、上記発明によってフックボルトの回転は防止できるが、フックボルトの取り付け時においては、フックボルトの落下を防止するために、フックボルトを保持しながら取り付け作業を行わねばならず、作業性が悪いという問題が生じていた。
また、前述した、橋枕木の座金との接触部分が磨耗し、水の浸入などによる枕木の損傷、劣化が生じるという問題もあった。
【特許文献１】特開平１０−８２４０７号公報
【特許文献２】特願２００７−１６１１９１号明細書
【発明の開示】
【発明が解決しようとする課題】
【０００７】
本発明は、レールの橋枕木を橋桁に固定するためのフックボルトが取り付け時において落下防止するための機能を座金にもたらし、同時に、前記座金による橋枕木に対する磨耗を防止することを目的とする。
【課題を解決するための手段】
【０００８】
本発明は、レールの橋枕木を橋桁に固定するためのフックボルトの座金の穴の周囲及び座金の外周にゴム材によるクッション部を設けることによって、前記ボルトの取り付け時において前記ボルトの落下を防止し、同時に、座金による橋枕木の磨耗を防止するものである。
【０００９】
本発明の構成は次のとおりである。
（１）ボルトのための座金であって、ボルトを貫通するための穴の周囲に弾力性のパッキングが形成されていることを特徴とする座金。
（２）前記座金の底面に弾力性のパッキングが形成されていることを特徴とする上記（１）に記載の座金。
（３）前記座金の外周部に弾力性のパッキングが形成されていることを特徴とする上記（１）又は（２）に記載の座金。
（４）前記穴の形状は非円形形状であることを特徴とする上記（１）ないし（３）のいずれかに記載の橋枕木固定用ボルト用ボルト及び座金。
（５）鋼材に橋枕木を固定させるためのボルトの固定に使用する座金の穴の周囲、外周及び／又は底面にはめ込むための弾力性パッキング。
（６）前記パッキングには切り込みがけ形成されていることを特徴とする上記（５）に記載の座金。
【発明の効果】
【００１０】
本発明は、上記のような構成をとることにより、橋枕木の固定のためのフックボルトの取り付け時において、フックボルトが座金の穴の外周に形成されたパッキングにより固定されて落下することを防止でき、作業効率が格段に向上する。また、パッキングを座金の穴の内周及び／又は座金の外周に形成することにより、座金による橋枕木の磨耗を防止し、橋枕木の劣化を防止することができる。さらに、座金と他の金属品のイオン化傾向の相違による異種金属接触腐食を防止することができ、フックボルト及び座金の腐食による劣化を防止することができる。
【発明を実施するための最良の形態】
【００１１】
以下、図面を参照して、本発明を説明する。
図１に示すように、フックボルト１は橋枕木８を橋桁７に固定する部材であって、棒鋼からなり上部を雄ねじ４とした直線状のボルト部２と、その下部に連続する曲線状のフック部３とを備える。このフックボルト１は、橋枕木８に設けたボルト穴にボルト部２を挿通し、ナット６で固定して、フック部３を橋桁８の下面に圧接させることにより橋枕木８を橋桁７に固定するものである。
【００１２】
本発明のフックボルトの固定のための座金は、例えば図２に示すように、フックボルトの貫通のための穴の周囲に弾力性のパッキング２１が形成されるものである。また、本発明の座金はその外周にも弾力性パッキング２２、さらに底面に弾力性パッキング２３を形成することができる。
【００１３】
本発明のパッキングは、座金に直接塗布して形成することができる。また、あらかじめ、鋳型により形成しておき、後に弾力性の弾力を生かして座金にはめ込むこともできる。例えば、図３で示される形状のパッキングに座金をはめ込めば、座金の穴の周囲、外周及び底面を同時にパッキングすることができる。その際、パッキングに切り欠け部を数箇所向けておけば装着をより容易にすることができる。
【００１４】
本発明のパッキングの材料は、弾力性のある材料であれば何でもよい。例えば、合成のゴム樹脂などを使用することができる。また、弾力性と共に絶縁性を有する材料であれば、フックボルトと座金のイオン化傾向の相違による異種接触腐食を防止することができるので、より好ましい。
【００１５】
本発明の座金と共に使用するフックボルトは、好ましくは枕木からフックボルトが飛び出さない程度の長さとする。フックボルトは橋上で危険性の高い作業環境で使用されるが、枕木のほうにフックボルトのネジ部が飛び出していると施工・メンテナンス及び点検を行う際の邪魔となり、危険であるからである。また、座金の穴の周囲に設けた弾力性パッキングの弾力によって、フックボルトを保持して落下を防止するためにもフックボルトは無駄な長さがないことが好ましい。
【図面の簡単な説明】
【００１６】
【図１】フックボルトの使用時の側面図を示す。
【図２】本発明の実施例の座金の平面及び断面図を示す。
【図３】本発明の実施例の弾力性パッキングの平面及び断面図を示す。
【符号の説明】
【００１７】
１  フックボルト
２  胴部
３  フック部
４  ネジ部
５  座金
６  ナット
７  鋼材
８  枕木  
９  ボルト穴
２１  座金の穴の周囲に形成された弾力性パッキング
２２  座金の周囲に形成された弾力性パッキング
２３  座金の底面に形成された弾力性パッキング
３１  本発明の弾力性パッキングの実施例
【図１】
2009019347.tif 000003
【図２】
2009019347.tif 000004
【図３】
2009019347.tif 000005